(57)【要約】【課題】粘着テープの先端を引き出し易くするとともに、貼着された粘着テープの用済み後の粘着テープを引剥し易くすることができる手持ち式のテープカッターを提供する。【解決手段】テープロール２の粘着テープＴを巻装する支持軸３と、前記粘着テープＴを切断するカッター４との間に、前記粘着テープＴの先端の粘着面を仮止めするテープセット部材６を配置してなるテープカッターであって、前記テープセット部材６は、前記粘着テープＴの先端の粘着面に対して下向きに起立する仮止め面７aを有する前部７と、前記支持軸３を設ける保持板５に固定される左右一対の側部８、８と、よりなり、前記前部７は左右に分割され、左右の前記前部７のそれぞれ一端を前記カッター４の方向に往復移動ができるよう前記側部８、８に設ける。【選択図】図１
2019089654.tif 000002
【特許請求の範囲】
【請求項１】
テープロールの粘着テープを巻装する支持軸と、前記粘着テープを切断するカッターとの間に、前記粘着テープの先端の粘着面を仮止めするテープセット部材を配置してなるテープカッターであって、
前記テープセット部材は、前記粘着テープの先端の粘着面に対して下向きに起立する仮止め面を有する前部と、前記支持軸を設ける保持板に固定される左右一対の側部と、よりなり、
前記前部は左右に分割され、左右の前部のそれぞれ一端を前記カッターの方向に前後移動ができるよう前記側部に設けることを特徴とする手持ち式のテープカッター。
【請求項２】
前記テープセット部材は、前記側部の側端に前記前部を一体に設けるとともに、前記側板の左右を互いに連結する後部を備えてなることを特徴とする請求項１に記載の手持ち式のテープカッター。
【請求項３】
前記テープセット部材の前記前部と、前記側部及び後部とを薄板のプレス加工により一体に成形することを特徴とする請求項２に記載の手持ち式のテープカッター。
【発明の詳細な説明】
【技術分野】
【０００１】
この発明は、粘着テープを貼り付け、包装、密封等への使用される手持ち式のテープカッターに関するものである。
【背景技術】
【０００２】
周知の一面に粘着面を有する粘着テープは、家庭用、事務用、商業用、工業用等の各種用途に広く汎用され、特に、商店・百貨店・スーパー等での買物の商品包装の封、書類・図面等の一時的位置決め、ポスター・表等の掲示等である。
このような粘着テープを取付ける粘着テープカッターは、粘着テープを粘着面側から切断し、切断後の粘着テープの先端をカッターに付着させるものが多い。  また、粘着テープを引き出しやすいように、粘着テープの先端を折り返したり、粘着テープの先端部分に紙片等を貼付する方法を取っている。（特許文献１）
【先行技術文献】
【特許文献】
【０００３】
【特許文献１】特開平１０−２５０９０４号公報
【発明の概要】
【発明が解決しようとする課題】
【０００４】
従来の粘着テープカッターにおいて、粘着テープを粘着面側から切断し、切断後の粘着テープの先端をカッターに付着させたままにする方法は、粘着テープをカッターから剥がしにくく、粘着面の糊がカッターに付着するため、カッターの切れ味が悪くなる欠点を生ずる。しかも、指先で粘着テープの粘着面に触れるので、指紋が粘着テープに付きやすい。
また、粘着テープの先端を折り返したり、あるいは、粘着テープの先端部分に紙片等を貼付する方法は、粘着テープを引き出しやすいが、折り返したり、紙片等の貼付の際に、粘着テープをよじれさせて、手間がかかる難点が生ずる。
【０００５】
この発明は、かかる実情に鑑みてなされたもので、粘着テープの先端を折り返したり、あるいは、粘着テープの先端部分に紙片等を貼付する手間をなくし、作業性を良くするとともに、簡単な構造で、カッターから容易に粘着テープを剥がし、粘着テープを引き出しやすくでき、しかも、貼着後の用済み粘着テープの引き剥しを容易にする手持ち式のテープカッターを提供することを目的としている。
【課題を解決するための手段】
【０００６】
前記課題を解決し、かつ目的を達成するために、この発明は、以下のように構成した。
【０００７】
請求項１に記載の発明は、テープロールの粘着テープを巻装する支持軸と、前記粘着テープを切断するカッターとの間に、前記粘着テープの先端の粘着面を仮止めするテープセット部材を配置してなるテープカッターであって、
前記テープセット部材は、前記粘着テープの先端の粘着面に対して下向きに起立する仮止め面を有する前部と、前記支持軸を設ける保持板に固定される左右一対の側部と、よりなり、
前記前部は左右に分割され、左右の前部のそれぞれ一端を前記カッターの方向に前後移動ができるよう前記側部に設けることを特徴とする手持ち式のテープカッターである。
【０００８】
請求項２に記載の発明は、前記テープセット部材は、前記側部の側端に前記前部を一体に設けるとともに、前記側板の左右を互いに連結する後部を備えてなることを特徴とする請求項１に記載の手持ち式のテープカッターである。
【０００９】
請求項３に記載の発明は、前記テープセット部材の前記前部と、前記側部及び後部とを薄板のプレス加工により一体に成形することを特徴とする請求項２に記載の手持ち式のテープカッターである。
【発明の効果】
【００１０】
前記構成により、この発明は、以下のような効果を有する。
【００１１】
請求項１に記載の発明では、テープロールの粘着テープを巻装する支持軸と、前記粘着テープを切断するカッターとの間に、前記粘着テープの先端の粘着面を仮止めするテープセット部材を配置してなるテープカッターであって、
前記テープセット部材は、前記粘着テープの先端の粘着面に対して下向きに起立する仮止め面を有する前部と、前記支持軸を設ける保持板に固定される左右一対の側部と、よりなり、
前記前部は左右に分割され、左右の前部のそれぞれ一端を前記カッターの方向に前後移動ができるよう前記側部に設けるので、貼着テープの切断縁がテープロール自体に貼着してしまうということがなく、前記カッターで切り取られた後の粘着テープの先端を引き出した状態を維持でき、前記テープセット部材の前記ベース面に貼着した粘着テープを容易に剥がし易くなる。
【００１２】
更に、前記仮止め面から粘着テープを引き出す際、まず、前記前部が粘着テープに引かれて前方に移動し、その後、前記前部の粘着テープの先端が剥がれると、前記前部が元の位置に戻り、粘着テープの先端が前記仮止め面から簡単に剥がれることになる。
【００１３】
また、前記前部の前記仮止め面が粘着テープの先端の粘着面に対して下向きに起立することにより、前記仮止め面から粘着テープを引き出す際、粘着テープの先端を摘まむと粘着テープの先端に折り返しができるので、指先に粘着テープの粘着面に触れることがなく、指紋が粘着テープに付かなくなる。しかも、粘着テープの先端に折り返しがあると、一旦貼着された粘着テープの用済み後に折り返しを引っ張ることで、粘着テープの引剥しが容易になる。
【００１４】
請求項２に記載の発明では、前記テープセット部材は、前記側部の側端に前記前部を一体に設けるとともに、前記側板の左右を互いに連結する後部を備えてなるので、ヒンジ等の連結具が必要なく構造が簡単にでき、しかも、側部を保持板に固定する際、水平方向において左右の側部の固定位置が上下にずれることがなく、粘着テープの先端を前記前部に貼着する粘着テープの先端には皺や捻じれが生じ難くなる。
【００１５】
請求項３に記載の発明では、前記テープセット部材の前記前部と、前記側部及び後部とを薄板のプレス加工により一体に成形するので、前記テープセット部材の製作が容易になるとともに、既製のテープカッターに簡単に取付けできる。
【図面の簡単な説明】
【００１６】
【図１】手持ち式のテープカッターの全体構成を示す側面図である。
【図２】第１の実施形態における手持ち式のテープカッターを示す斜視図である。
【図３】第２の実施形態における手持ち式のテープカッターのテープセット部材を示す斜視図である。
【図４】テープセット部材における粘着テープの引出し状態の断面図である。
【図５】テープセット部材における粘着テープの切断状態の断面図である。
【図６】第２の実施形態における手持ち式テープカッターのテープセット部材の展開図である。
【図７】第３の実施形態における手持ち式のテープカッターのテープセット部材を示す斜視図である。
【図８】テープセット部材における粘着テープの引出し状態の断面図である。
【図９】第３の実施形態における手持ち式テープカッターのテープセット部の展開図である。
【発明を実施するための形態】
【００１７】
以下、この発明の手持ち式のテープカッターの実施の形態について説明する。
この発明の実施の形態は、発明の最も好ましい形態を示すものであり、この発明はこれに限定されない。
【００１８】
この実施形態の手持ち式のテープカッターのテープカッター本体を、図１乃至図９に基づいて説明する。図１はテープカッター本体の全体構成を示す側面図である。
【００１９】
前記テープカッター本体１は、粘着剤が塗布されたテープロール２の粘着テープＴが巻装される支持軸３と、前記粘着テープＴを切断するカッター４とを備え、前記支持軸３は左右一対の保持板５、５により支持される。
【００２０】
そして、第１の実施形態のテープカッター本体１のテープセット部材６は、前記粘着テープＴの先端の粘着面に対して下向きに起立する仮止め面７aを有する前部７と、前記支持軸３を設ける前記保持板５、５に固定される左右一対の側部８、８と、よりなる。
【００２１】
前記前部７は左右に分割され、分割した左右の前部７のそれぞれ一端を前記側部８、８の側端に一体に設け、粘着テープＴの幅方向に屈曲し、前記カッター４の方向に前後移動ができるようにする。なお、前記前部７のそれぞれ一端は、前記側部８、８の側端にヒンジにより連結し、前記カッター４の方向に前後移動ができるようにしてもよい。
【００２２】
また、分割した前記前部７の互いの間は、粘着テープＴの幅方向中央が摘まめる間隔にする。この間隔より粘着テープＴの先端を摘まむと、前記仮止め面７aが粘着面に対して下向きに起立しているので、粘着テープＴの先端に折り返しができる。
【００２３】
これにより、前記仮止め面７aから粘着テープＴを引き出す際、まず、前記前部７が粘着テープＴに引かれて前方に移動し、その後、前記前部７の粘着テープＴの先端が剥がれると、前記側部８、８より屈曲した前記前部７がスプリングバックで前記前部７が元の位置に戻り、粘着テープＴの先端が前記仮止め面７aから容易に剥がれることになる。
【００２４】
以上の構成よりなる手持ち式のテープカッターにおいて、粘着テープＴを商品包装の封、書類・図面等の一時的位置決め、ポスター・表等の掲示等に使う際、粘着テープＴを前記カッター４まで引き出して切断し、切断された粘着テープＴを必要箇所に貼着する。
【００２５】
そして、テープロール２側の粘着テープＴの先端は、前記前部７の前記仮止め面７aに貼着され、前記カッター４で切り取られた後の粘着テープＴの先端はテープロール２より引き出した状態を維持し、粘着テープＴの切断端が前記テープロール２側に貼着してしまうことがなく、貼着テープＴの切断端が見付け難くなり、切断端の剥ぎ起こしが簡単にできなくなってしまうことはなくなる。
【００２６】
次に、粘着テープＴの先端が前記前部７の前記仮止め面７aに貼着した粘着テープの先端を引き出す際は、左右の前記前部７よりなる間隔に臨む粘着テープＴの幅方向中央の非粘着面Ｔbを指先で摘み、前記粘着テープＴの先端を前記カッター４まで引き出すことになる。
【００２７】
前記仮止め面７aから粘着テープＴを引き出す際、まず、前記前部７が粘着テープＴに引かれて前方に移動し、その後、前記前部７の粘着テープＴの先端が剥がれると、前記側部８、８より屈曲した前記前部７がスプリングバックで前記前部７が元の位置に戻り、粘着テープＴの先端が前記仮止め面７aから容易に剥がれることになる。
【００２８】
また、前記仮止め面７aから粘着テープＴを引き出す際、前記仮止め面７aが粘着テープＴの先端の粘着面Ｔaに対して下向きに起立するので、粘着テープＴの先端を摘まむと粘着テープＴの先端に折り返しができ、指先に粘着テープＴの粘着面Ｔaに触れることがなく、指紋が粘着面Ｔaに付かなくなり、しかも、粘着テープＴの先端に折り返しがあると、貼着された粘着テープＴの用済み後に折り返しを引っ張ることができ、粘着テープＴの引剥しが容易になる。
【００２９】
さらに、第２の実施態様は、図６の展開図に示すように板厚０，１〜０，３ｍｍの薄い一枚板のプレス加工によりなるテープセット部材６で、このテープセット部材６は、粘着テープＴの先端の粘着面Ｔaに対して起立する仮止め面７aを有する前記前部７と、前記支持軸３を設ける前記保持板５、５に固定される左右一対の側部８と、左右の前記側部８、８を互いに連結する後部９と、よりなる。                                                          
【００３０】
前記後部９の左右端には、前記側部８、８が一体に設けられるとともに、前記側部８、８の側端８a、８aを屈曲して前記前部７とされる。左右の前記前部７の互いの間は、粘着テープＴの幅方向中央が摘まめる間隔Ｂになっている。    なお、符号１４は軽量化のために前記後部９に穿設した複数の貫通穴である。    
【００３１】
前記前部７の上端より前ガイド７bを突出し、粘着テープＴの先端を前記仮止め面７aに貼着する際、前記前ガイド７bにより粘着テープＴに折り返しＴcができる。
【００３２】
前記側部８、８の下端８b、８bには下部１１を一体に設け、これを屈曲して、前記テープロール２より引き出された粘着テープＴの垂れ下がりを規制し、粘着テープＴの粘着面Ｔaが前記下部１１に貼着するので、粘着テープＴを前記カッター４により切断した直後、粘着テープＴの先端が前記テープロール２側に戻ることがなくなる。なお、前記下部１１の側縁を下方に屈曲し、粘着テープＴの接触面積を増加させる。
【００３３】
こうして、前記前部７の前記仮止め面７aに貼着した粘着テープＴの引き出しにつれて前記前部７が前記カッター４の方向に移動し、粘着テープＴの先端が前記仮り止め面７aより剥がれると、前記側部８、８より屈曲した前記前部７はスプリングバックにより元の位置に戻る。
【００３４】
以上の構成よりなる手持ち式のテープカッターにおいて、粘着テープＴを使う際、図３に示すように、粘着テープＴを前記カッター４まで引き出して切断し、切断された粘着テープＴを必要箇所に貼着する。
【００３５】
そして、粘着テープＴを前記カッター４により切断した直後、前記テープロール２より引き出された粘着テープＴは垂れ下がるが、図４に示すように、粘着テープＴの粘着面Ｔaが前記下部１１に貼着し、粘着テープＴの先端が前記テープロール２側に戻ることがなくなる。
【００３６】
図５に示すように、テープロール２側の粘着テープＴの先端は、前記前部７の前記仮止め面７aに貼着され、粘着テープＴの先端を前記前部７に貼着する粘着テープＴには前記前ガイド７bにより折り返しができ、前記カッター４で切り取られた後の粘着テープＴの先端はテープロール２より引き出した状態を維持し、粘着テープＴの切断端が前記テープロール２側に貼着してしまうことがなく、貼着テープＴの切断端が見付け難くなり、切断端の剥ぎ起こしが簡単にできなくなってしまうことはなくなる。
【００３７】
さらに、粘着テープＴの先端が前記前部７の前記仮止め面７aに貼着した粘着テープの先端を引き出す際は、左右の前記前部７よりなる前記間隔Ｂに臨む粘着テープＴの幅方向中央の非粘着面Ｔbを指先で摘み、前記粘着テープＴの先端を前記カッター４まで引き出すことになる。
【００３８】
前記前部７が粘着テープＴに引かれて前方に移動するが、前記側部８、８に屈曲された前記前部７はスプリングバックにより元の位置に戻ることになり、前記粘着テープＴが前記仮止め面７aから容易に剥がれることになる。
【００３９】
さらに、第３の実施形態について、図７乃至図９に基づいて説明する。この実施形態において第１の実施形態と同じ構成は同一の符号を付している。
【００４０】
この実施形態の前記テープセット部材６は、第２の実施形態の前記テープセット部材６に対し、さらに、粘着テープＴの先端の非粘着面Ｔbに対して平行な覆い面１０aを有する上部１０と、この上部１０の前記覆い面１０aの後端に上方に延出する後部９と、を追加してなる。
【００４１】
前記前部７と前記上部８とにより隙間１２を形成し、この隙間１２を粘着テープＴの先端が通過する。そして、前記前部７の上端より前記前ガイド７bと、前記上部１０の覆い面１０aの前端より上ガイド１０bとを突出し、粘着テープＴの先端を前記仮止め面７aに貼着する際、前記前ガイド７bにより粘着テープＴに折り返しＴcができる。
【００４２】
前記覆い面１０aを有する前記上部１０には、前記粘着テープＴの幅方向中央が摘まめるよう前記カッター４の方向に開口する切欠き１３を設けるとともに、左右の前記前部７の互いの間は、粘着テープＴの幅方向中央が摘まめる前記間隔Ｂになっている。この間隔Ｂは前記切欠き１３の開口と同じ幅にする。
【００４３】
以上の構成よりなる手持ち式のテープカッターにおいて、粘着テープＴを図３に示すように、前記前部７と前記上部１０とで形成した隙間１２より粘着テープＴの先端を通過させ、この粘着テープＴを前記カッター４まで引き出して切断し、切断された粘着テープＴを必要箇所に貼着する。
【００４４】
そして、テープロール２側の粘着テープＴの先端は、前記前部７の前記仮止め面７aに貼着され、前記カッター４で切り取られた後の粘着テープＴの先端は引き出した状態を維持し、貼着テープＴの切断端が前記テープロール２側に貼着してしまうことがなく、貼着テープＴの切断端が見付け難くなり、切断端の剥ぎ起こしが簡単にできなくなってしまうことはなくなる。
【００４５】
さらに、粘着テープＴの先端が前記前部７の前記仮止め面７aに貼着した粘着テープの先端を引き出す際は、前記上部１０の前記覆い面１０aの切欠き１３と、前記前部７の前記仮止め面７aの前記間隔Ｂとに臨む粘着テープＴの先端の非粘着面Ｔbを指先で摘み、前記粘着テープＴの先端を前記カッター４まで引き出すことになる。
【００４６】
前記前部７が粘着テープＴに引かれて前方に可動するが、屈曲された前記前部７はスプリングバックにより元の位置に戻り、前記粘着テープＴが前記仮止め面７aから容易に剥がれることになる。
また、この上部１０の前記覆い面１０aの後端と、この後端より上方に延出する後部９との折り曲がりがスプリングバックを生じることにより、通過する粘着テープＴには皺や捻じれが生じ難くなる。
【００４７】
以上のように、前記粘着テープＴの先端を前記前部７に貼着することにより、切り取られた後の粘着テープＴの先端を引き出した状態のままを維持でき、貼着テープＴの切断端が前記テープロール２側に貼着してしまうことがなく、貼着テープＴの切断端が見付け難くなり、切断端の剥ぎ起こしが簡単にできなくなってしまうことはなくなる。
【００４８】
しかも、前記仮止め面７aから粘着テープＴを引き出す際、まず、前記前部７が粘着テープＴに引かれて前方に移動し、その後、前記前部７の粘着テープＴの先端が剥がれると、前記前部７が元の位置に戻り、粘着テープＴの先端が前記仮止め面７aから簡単に剥がれることになる。
【００４９】
また、前記上部８の後端より上方に延出する前記後部９の左右端には、前記支持軸３を設ける前記保持板５、５に固定される前記側部１０、１０を一体に設け、この側部１０、１０の側端を屈曲して前記前部７とすることにより、前記テープセット部材６を薄い一枚板でプレス成形ができて製作が容易になり、そして、製作された前記テープセット部材６を簡単に既製のテープカッター本体１に組み付けることができる。
【００５０】
そして、粘着テープＴの先端が通過する隙間１２を前記前部７の上端と前記上部８の先端とにより形成するとともに、前記前部７の上端には前記カッター４の方向に突出する前ガイド７bを設けることにより、前記前部７と前記上部８とによりなる隙間１２を通過する粘着テープＴには皺や捻じれが生じ難くなる。
【００５１】
さらに、粘着テープＴの先端を前記前部７に貼着する粘着テープＴには前ガイド７bにより折り返しができ、これにより粘着テープＴを摘まみ易くなるとともに、指先が粘着テープＴの粘着面Ｔaに触れなく、指紋が粘着テープＴに付くことはなくなる。
【００５２】
左右の前記前部７の間隔Ｂを粘着テープＴの幅方向中央に位置させることにより、粘着テープＴの先端が前記前部７の前記仮止め面７aに貼着した粘着テープＴの先端を引き出す際は、前記前部７の前記間隔Ｂが臨む粘着テープＴの幅方向中央の非粘着面Ｔbを指先で摘み、粘着テープＴの先端を前記カッター４まで引き出すことができ、この粘着テープＴの先端を引き出し易くなる。
【００５３】
また、前記前部７の前記仮止め面７aが粘着テープＴの先端の粘着面Ｔaに対して下向きに起立するので、前記仮止め面７aから粘着テープを引き出す際、粘着テープＴの先端を摘まむと粘着テープＴの先端に折り返しができ、これにより指先に粘着テープＴの粘着面に触れることがなく、指紋が粘着テープに付かなくなり、しかも、粘着テープＴの先端に折り返しがあると、一旦貼着された粘着テープＴの用済み後に引剥がしたい場合、折り返しを引っ張ることにより、粘着テープの引剥しが容易になる。
【産業上の利用可能性】
【００５４】
商品包装の封、ポスター・表等の掲示等において使用する粘着テープが使い易い状態で好適に引き出すことができる手持ち式のテープカッターである。
【符号の説明】
【００５５】
１    テープカッター本体
２    テープロール
３    支持軸 
４    カッター
５、５  保持板
６    テープセット部材
７    前部
７a    仮止め面
７b    前ガイド
８、８    側部
８a、８a  側端
９    後部  
１０  上部
１０a  覆い面
１０b  上ガイド
１１  下部
１２  隙間
１３  切欠き
１４  貫通穴
Ｂ    間隔
Ｔ  粘着テープ
Ｔa  粘着面
Ｔb  非粘着面
Ｔc  折り返し
【図１】
2019089654.tif 000003
【図２】
2019089654.tif 000004
【図３】
2019089654.tif 000005
【図４】
2019089654.tif 000006
【図５】
2019089654.tif 000007
【図６】
2019089654.tif 000008
【図７】
2019089654.tif 000009
【図８】
2019089654.tif 000010
【図９】
2019089654.tif 000011
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
テープロールの粘着テープを巻装する支持軸と、前記粘着テープを切断するカッターとの間に、前記粘着テープの先端の粘着面を仮止めするテープセット部材を配置してなるテープカッターであって、
前記テープセット部材は、前記粘着テープの先端の粘着面に対して下向きに起立する仮止め面を有する前部と、前記支持軸を設ける保持板に固定される左右一対の側部と、前記側部の下端に一体に設けた下部と、よりなり、
前記前部の上端を屈曲して前記カッター方向に突出させ前記粘着テープを折り返すガイド部とし、
前記前部は左右に分割され、左右の前記前部の一側となるそれぞれ一端を前記側部の側端に一体に設け、前記前部を前記粘着テープの幅方向に屈曲し、この屈曲箇所で前記仮止め面に貼着した前記粘着テープの引き出しにより前記カッター側の前方に移動した前記前部がスプリングバックにより元の位置に戻ることを特徴とする手持ち式のテープカッター。
【請求項２】
前記テープセット部材は、前記前部を前記側部の側端に一体に設けるとともに、前記側部の左右を互いに連結する後部を備えてなることを特徴とする請求項１に記載の手持ち式のテープカッター。
【請求項３】
前記テープセット部材の前記前部と、前記側部及び前記後部とを板厚０，１〜０，３ｍｍの薄板でプレス加工により一体に成形することを特徴とする請求項２に記載の手持ち式のテープカッター。
【手続補正２】
【補正対象書類名】明細書
【補正対象項目名】０００７
【補正方法】変更
【補正の内容】
【０００７】
請求項１に記載の発明は、テープロールの粘着テープを巻装する支持軸と、前記粘着テープを切断するカッターとの間に、前記粘着テープの先端の粘着面を仮止めするテープセット部材を配置してなるテープカッターであって、
前記テープセット部材は、前記粘着テープの先端の粘着面に対して下向きに起立する仮止め面を有する前部と、前記支持軸を設ける保持板に固定される左右一対の側部と、前記側部の下端に一体に設けた下部と、よりなり、
前記前部の上端を屈曲して前記カッター方向に突出させ前記粘着テープを折り返すガイド部とし、
前記前部は左右に分割され、左右の前記前部の一側となるそれぞれ一端を前記側部の側端に一体に設け、前記前部を前記粘着テープの幅方向に屈曲し、この屈曲箇所で前記仮止め面に貼着した前記粘着テープの引き出しにより前記カッター側の前方に移動した前記前部がスプリングバックにより元の位置に戻ることを特徴とする手持ち式のテープカッターである。
【手続補正３】
【補正対象書類名】明細書
【補正対象項目名】０００８
【補正方法】変更
【補正の内容】
【０００８】
請求項２に記載の発明は、前記テープセット部材は、前記前部を前記側部の側端に一体に設けるとともに、前記側部の左右を互いに連結する後部を備えてなることを特徴とする請求項１に記載の手持ち式のテープカッターである。
【手続補正４】
【補正対象書類名】明細書
【補正対象項目名】０００９
【補正方法】変更
【補正の内容】
【０００９】
請求項３に記載の発明は、前記テープセット部材の前記前部と、前記側部及び前記後部とを板厚０，１〜０，３ｍｍの薄板でプレス加工により一体に成形することを特徴とする請求項２に記載の手持ち式のテープカッターである。
【手続補正５】
【補正対象書類名】明細書
【補正対象項目名】００１１
【補正方法】変更
【補正の内容】
【００１１】
請求項１に記載の発明では、テープロールの粘着テープを巻装する支持軸と、前記粘着テープを切断するカッターとの間に、前記粘着テープの先端の粘着面を仮止めするテープセット部材を配置してなるテープカッターであって、
前記テープセット部材は、前記粘着テープの先端の粘着面に対して下向きに起立する仮止め面を有する前部と、前記支持軸を設ける保持板に固定される左右一対の側部と、前記側部の下端に一体に設けた下部と、よりなり、
前記前部の上端を屈曲して前記カッター方向に突出させ前記粘着テープを折り返すガイド部とし、
前記前部は左右に分割され、左右の前記前部の一側となるそれぞれ一端を前記側部の側端に一体に設け、前記前部を前記粘着テープの幅方向に屈曲し、この屈曲箇所で前記仮止め面に貼着した前記粘着テープの引き出しにより前記カッター側の前方に移動した前記前部がスプリングバックにより元の位置に戻るので、貼着テープの切断縁がテープロール自体に貼着してしまうということがなく、前記カッターで切り取られた後の粘着テープの先端を引き出した状態を維持でき、前記テープセット部材の前記ベース面に貼着した粘着テープを容易に剥がし易くなる。
【手続補正６】
【補正対象書類名】明細書
【補正対象項目名】００１４
【補正方法】変更
【補正の内容】
【００１４】
請求項２に記載の発明では、前記テープセット部材は、前記前部を前記側部の側端に一体に設けるとともに、前記側部の左右を互いに連結する後部を備えてなるので、ヒンジ等の連結具が必要なく構造が簡単にでき、しかも、側部を保持板に固定する際、水平方向において左右の側部の固定位置が上下にずれることがなく、粘着テープの先端を前記前部に貼着する粘着テープの先端には皺や捻じれが生じ難くなる。
【手続補正７】
【補正対象書類名】明細書
【補正対象項目名】００１５
【補正方法】変更
【補正の内容】
【００１５】
請求項３に記載の発明では、前記テープセット部材の前記前部と、前記側部及び前記後部とを板厚０，１〜０，３ｍｍの薄板でプレス加工により一体に成形するので、前記テープセット部材の製作が容易になるとともに、既製のテープカッターに簡単に取付けできる。